(57)【要約】【課題】絞り口径や露光時間を変化させることなくＡＥＢ撮影を行うことができるカメラシステムを提供する。【解決手段】絞り口径を変化させる機械絞りと、透過率を変化させる物性フィルタとを有する絞り装置において、適正露光及びその前後に露光量を変化させて撮影する撮影モード時は機械絞りの口径と物性フィルタの透過率と露光時間の組み合わせを所望の値となるように設定し、その後は物性フィルタの透過率を変化させることにより露光量を変化させる。【選択図】　図２
2004093891.tif 000002
【特許請求の範囲】
【請求項１】
絞り口径を変化させる機械絞りと、透過率を変化させる物性フィルタとを有する絞り装置において、
適正露光及びその前後に露光量を変化させて撮影する撮影モード時は機械絞りの口径と物性フィルタの透過率と露光時間の組み合わせを所望の値となるように設定し、その後は前記物性フィルタの透過率を変化させることにより露光量を変化させることを特徴とする絞り装置。
【請求項２】
請求項１に記載の絞り装置を有することを特徴とする交換レンズ。
【請求項３】
請求項１に記載の絞り装置を有することを特徴とするカメラ。
【請求項４】
カメラ本体と、このカメラ本体に着脱可能な交換レンズとを備えたカメラシステムにおいて、
請求項１に記載の絞り装置を有することを特徴とするカメラシステム。
【請求項５】
絞り口径を変化させる機械絞りと、透過率を変化させる物性フィルタとＩＳＯ感度の設定を変更可能なカメラにおいて、
適正露光及びその前後に露光量を変化させて撮影する撮影モード時において、機械絞りの口径と物性フィルタの透過率と露光時間とＩＳＯ感度の組み合わせを所望の値となるよう設定し、その後は前記物性フィルタの透過率を変化させることにより露光量を変化させることを特徴とするカメラ。
【発明の詳細な説明】
【０００１】
【発明の属する技術分野】
本発明は、ＡＥＢ撮影（自動段階露出撮影）が可能なカメラシステムに関するもので、特に露光時間や絞り口径を変化させないで露光量を変更することが可能な交換レンズ、カメラおよびカメラシステムに関するものである。
【０００２】
【従来の技術】
カメラの適正露光による撮影と露出オーバーでの撮影、露出アンダーでの撮影を任意の順序で連続的及び自動的に行なう機能（ＡＥＢ撮影機能）は、例えば、特開平４―３７８２６号公報により提案されている。
【０００３】
しかし、露出オーバーでの撮影または露出アンダーでの撮影を行なう場合、レンズの絞り口径を適正露光に対し大きくまたは小さく設定すること、または、露光時間を長くまたは短く設定することにより行なうしかない。
【０００４】
一方、絞り口径を変化させる機械絞りと透過率を変化させる物性フィルタを有する絞り装置が、例えば、特開平１０−４２１９０号公報で提案されている。しかし、上記ＡＥＢ撮影に言及している提案はない。
【０００５】
【発明が解決しようとする課題】
しかし、上述のように絞り口径や露光時間を変更して露光量を変化させると撮影深度（ボケ味）や被写体ブレ（流れ）が変わってしまい撮影意図に反する写真となってしまう問題がある。
【０００６】
本発明の目的は、絞り口径や露光時間を変化させることなくＡＥＢ撮影を行なえるカメラシステムを提供することである。
【０００７】
【課題を解決するための手段】
本願第１の発明は、絞り口径を変化させる機械絞りと、透過率を変化させる物性フィルタとを有する絞り装置において、適正露光及びその前後に露光量を変化させて撮影する撮影モード時は機械絞りの口径と物性フィルタの透過率と露光時間の組み合わせを所望の値となるように設定し、その後は物性フィルタの透過率を変化させることにより露光量を変化させることを特徴とする。
【０００８】
ここで、本発明の絞り装置は、交換レンズ、カメラ、交換レンズおよびカメラ本体を備えたカメラシステムに搭載することができる。
【０００９】
本願第２の発明は、絞り口径を変化させる機械絞りと、透過率を変化させる物性フィルタとＩＳＯ感度の設定を変更可能なカメラにおいて、適正露光及びその前後に露光量を変化させて撮影する撮影モード時において、機械絞りの口径と物性フィルタの透過率と露光時間とＩＳＯ感度の組み合わせを所望の値となるよう設定し、その後は物性フィルタの透過率を変化させることにより露光量を変化させることを特徴とする。
【００１０】
【発明の実施の形態】
（第１実施形態）
以下、本発明の第１実施形態について詳細に説明する。
【００１１】
図１において、１はカメラ全体の動作を制御するマイクロコンピュータ、２はレンズ鏡筒内のフォーカス駆動、機械絞り駆動及び物性フィルタ駆動を制御するレンズ内制御回路、３はカメラの液晶表示装置の液晶を駆動する液晶表示回路である。
【００１２】
４は種々の検出スイッチの状態を検出するスイッチセンス回路、５はストロボ装置を制御するストロボ発光調光制御回路、６は撮影レンズの焦点を検出する焦点検出回路、７は測光素子を内臓している測光回路である。
【００１３】
８はシャッタの駆動制御を行なうシャッタ制御回路、ＳＷ１はカメラの動作を開始させるスイッチ、ＳＷ２はレリーズボタンの押し下げ動作と連動して投入されるスイッチである。
【００１４】
マイクロコンピュータ１と各回路との間に描かれた二重線はマイクロコンピュータ１の入出力ポートと前記各回路との間に設けられたシリアルデータバスＤＢＵＳであり、シリアルデータバスＤＢＵＳを介してマイクロコンピュータ１と各回路との間でデータ通信が行われる。
【００１５】
また、マイクロコンピュータ１と各回路との間に二点鎖線で描かれているのはマイクロコンピュータ１により各回路を制御するための制御信号である。
【００１６】
レンズ内アクチュエータ制御回路２はマイクロコンピュータ１からＬＣＯＭ信号を受けている間、データバスＤＢＵＳを介してマイクロコンピュータ１とシリアル通信を行なう。シリアル通信によりアクチュエータ駆動情報を受け取り、その情報によりレンズ鏡筒内のアクチュエータを制御する。
【００１７】
また、同時にレンズ各種の情報（ズーム、フォーカス、機械絞り、物性フィルタ等）をシリアル通信によりマイクロコンピュータ１に送る。
【００１８】
液晶表示回路３はカメラの各撮影情報、例えば、シャッタースピード、絞り値、ＩＳＯ感度、撮影枚数、などを撮影者に知らせるための不図示の液晶表示器を駆動するための回路であり、この回路３はマイクロコンピュータ１からＤＰＣＯＭ信号を受けている間、データバスＤＢＵＳを介しマイクロコンピュータ１とシリアル通信を行なう。シリアル通信により表示データを受け取り、そのデータに従って液晶表示器を駆動する。
【００１９】
スイッチセンス回路４は、撮影者が各撮影条件を設定するためのスイッチやカメラの状態を示すスイッチの状態を読み取りマイクロコンピュータ１に送る回路であり、マイクロコンピュータ１からＳＷＣＯＭ信号を受けている間、データバスＤＢＵＳを介しシリアル通信によりマイクロコンピュータ１にスイッチデータを送る。
【００２０】
ストロボ発光調光制御回路５は、ストロボの発光とＴＴＬ調光による発光停止機能を制御する回路であり、この回路５はマイクロコンピュータ１からＳＴＣＯＭ信号を受けている間、データバスＤＢＵＳを介してマイクロコンピュータ１とシリアル通信を行ない、ストロボ制御に関するデータを受け取りストロボ装置に対し各種の制御を行なう。
【００２１】
焦点検出回路６は既存の位相差検出方式により焦点調節状態を検出するためのラインセンサとその蓄積読み出しのための回路ユニットになったものでマイクロコンピュータ１により制御される。
【００２２】
測光回路７は、被写体の測光を行ないマイクロコンピュータ１の制御により測光出力をマイクロコンピュータ１に送る。マイクロコンピュータ１は送られた測光出力をＡ／Ｄ変換し、露出条件（シャッタースピード、絞り値、物性フィルタ、ＩＳＯ）の設定に用いる。
【００２３】
シャッタ制御回路８は、マイクロコンピュータ１の制御信号に従って不図示のシャッタ先幕及び後幕の走行制御を行なう。
【００２４】
スイッチＳＷ１はカメラ動作を開始させるボタンに連動するスイッチであり、該スイッチＳＷ１がＯＮされたことをマイクロコンピュータ１が認識するとマイクロコンピュータ１は焦点検出・測光・表示をスタートさせる。
【００２５】
スイッチＳＷ２はカメラのレリーズボタンと連動しており、ＳＷ２がＯＮされたことをマイクロコンピュータ１が認識すると露光動作がスタートする。
【００２６】
Ｘ接点はシャッタ先幕の走行完了のタイミングでＯＮし、ストロボ発光のタイミングをストロボ発光調光制御回路５に知らせる役目をする。
【００２７】
図２は、図１に示したカメラシステムにおけるＡＥＢ動作を示すフローチャート図である。上述したカメラシステムの構成において、図２のフローチャートに従い本実施形態の動作の説明を行なう。
【００２８】
初めに、電源がマイクロコンピュータ１に接続された状態で、スイッチＳＷ１がＯＦＦ状態であるか、ＯＮ状態であるかの判別を行なう（＃１００１）。ここで、スイッチＳＷ１がＯＦＦ状態の場合は終了し、スイッチＳＷ１がＯＮ状態の場合は（＃１００２）に機械絞りの口径を開放へ駆動する。
【００２９】
次に、物性フィルタの透過率を最大にし（＃１００３）、測光を開始し（＃１００４）、露光時間・ＦＮｏ演算を行ない（＃１００５）、露光時間・ＦＮｏ・物性フィルタの透過率の組合せを予め設定された優先順位に従って選択する（＃１００６）。
【００３０】
次に、露光時間が所定値以下かどうかを判別し（＃１００７）、以下なら＃１０１０に進み、以下ではない場合は＃１００８へ進む。
【００３１】
＃１００８で不図示の液晶表示器に露光時間が所定値より長い旨の警告表示を行ない、＃１０１０へ進む。
【００３２】
＃１０１０でＳＷ２がＯＮかを判別し、ＯＮの場合は＃１０１１へ進み、ＯＮでない場合は＃１００１へ戻り、上記動作を繰り返す。
【００３３】
＃１０１１では、ＡＥＢ撮影の枚数や順番等ＡＥＢ処理が行なわれ、露光が行なわれ（＃１０１２）、次にＡＥＢ枚数が一枚減ぜられ（＃１０１３）、ＡＥＢ枚数が零かどうかを判別し（＃１０１４）、零の場合は終了し、零でない場合は＃１０１５へ進む。
【００３４】
＃１０１５では、ＳＷ２がＯＮかどうかを判別し、ＯＮの場合は＃１０１６へ進み、ＯＮでない場合はＯＮになるまで繰り返す。＃１０１６ではＳＷ１がＯＮかどうかを判別し、ＯＮの場合は＃１０１１へ戻り、ＯＮでない場合は終了する。
【００３５】
（第２実施形態）
本発明の第２実施形態について説明する。本実施形態におけるカメラシステムの構成は、第１実施形態におけるカメラシステムの構成と同様である。
【００３６】
図３は、本実施形態のカメラシステムにおけるＡＥＢ動作を示すフローチャート図である。以下、図３のフローチャートに従い本実施形態の動作の説明を行なう。
【００３７】
初めに、電源がマイクロコンピュータ１に接続された状態で、スイッチＳＷ１がＯＦＦ状態であるか、ＯＮ状態であるかの判別を行なう（＃２００１）。ここで、スイッチＳＷ１がＯＦＦ状態の場合は終了し、スイッチＳＷ１がＯＮ状態の場合は（＃２００２）に機械絞りの口径を開放へ駆動する。
【００３８】
次に、物性フィルタの透過率を最大にし（＃２００３）、測光を開始し（＃２００４）、露光時間・ＦＮｏ演算を行い（＃２００５）、露光時間・ＦＮｏ・物性フィルタの透過率の組合せを予め設定された優先順位に従って選択する（＃２００６）。
【００３９】
次に、露光時間が所定値以下かどうかを判別し（＃２００７）、以下なら＃２０１１に進み、以下でない場合は＃２００８へ進む。
【００４０】
＃２００８では、予めカメラに設定されたＩＳＯ感度を強制的に変更し、露光時間・ＦＮｏ・物性フィルタの透過率の組合せを再選択し（＃２００９）、不図示の液晶表示器にＩＳＯ感度の変更と露光時間が所定値より長い旨の警告表示を行ない（＃２０１０）、＃２０１１へ進む。
【００４１】
＃２０１１でＳＷ２がＯＮかを判別し、ＯＮの場合は＃２０１２へ進み、ＯＮでない場合は＃２００１へ戻り、上記動作を繰り返す。
【００４２】
＃２０１２では、ＡＥＢ撮影の枚数や順番等ＡＥＢ処理が行なわれ、露光が行なわれ（＃２０１３）、次にＡＥＢ枚数が一枚減ぜられ（＃２０１４）、ＡＥＢ枚数が零かどうかを判別し（＃２０１５）、零の場合は終了し、零でない場合は＃２０１６へ進む。
【００４３】
＃２０１６では、ＳＷ２がＯＮかどうかを判別し、ＯＮの場合は＃２０１７へ進み、ＯＮでない場合はＯＮになるまで繰り返す。＃２０１７では、ＳＷ１がＯＮかどうかを判別し、ＯＮの場合は＃２０１２へ戻り、ＯＮでない場合は終了する。
【００４４】
【発明の効果】
以上説明したように、シャッタースピードと絞り口径を変化させずにＡＥＢ撮影を行なうことができるので、動きの速い被写体であっても像の流れやボケ味の変わらない適正露光の写真撮影を行なうことができる。
【図面の簡単な説明】
【図１】本発明の実施形態に係るレンズカメラシステムのブロック図。
【図２】第１実施例におけるＡＥＢ撮影の主要動作を示すフローチャート図。
【図３】第２実施例におけるＡＥＢ撮影の主要動作を示すフローチャート図。
【符号の説明】
１　　マイクロコンピュ−タ
２　　レンズ内制御回路
３　液晶表示回路
４　スイッチセンス回路
５　ストロボ発光調光回路
６　　焦点検出回路
７　測光回路
８　シャッタ制御回路
【図１】
2004093891.tif 000003
【図２】
2004093891.tif 000004
【図３】
2004093891.tif 000005